(57)【要約】      （修正有）【課題】携帯電話機の小型・軽量化に有利な着信バイブレータを提案する。【解決手段】携帯電話機の着信バイブレータ６において、一対の平板状電極３１、３２の間にパルス状に電圧が印加されると、これらの間の平板状弾性体３３が静電吸引力によって弾性変位して押し潰され、電圧が解除されると元の厚さに弾性復帰する。このような平板状弾性体３３の弾性変位が短い周期で繰り返されて板状振動体２２が全体として振動する。板状振動体２２は静電駆動式であり、軽量かつ極薄に製造できる。取り付け場所の設置スペースなどに応じて、曲げる、巻く、折り曲げるなどの加工も簡単である。携帯電話機の小型・軽量化に極めて有効な着信バイブレータが得られる。【選択図】図３
0003142215.tif 000002
【実用新案登録請求の範囲】
【請求項１】
第１平板状電極および第２平板状電極が絶縁性の平板状弾性体を挟んだ状態で交互に積層された構成の板状振動体と、
直流電源と、
前記直流電源から供給される電圧を前記第１および第２平板状電極の間に所定の形態で印加することにより、前記第１および第２平板状電極の間に断続的に静電吸引力を発生させ、あるいは、前記第１および第２平板状電極の間に静電吸引力および静電反発力を交互に発生させる通電制御回路とを有していることを特徴とする携帯電話機の着信バイブレータ。
【請求項２】
請求項１に記載の携帯電話機の着信バイブレータにおいて、
前記通電制御回路は、前記第１および第２平板状電極の間に一定の周期でパルス状に電圧を印加することを特徴とする携帯電話機の着信バイブレータ。
【請求項３】
請求項１に記載の携帯電話機の着信バイブレータにおいて、
前記板状振動体をコイル状に巻くことによりコイル状振動体が形成されていることを特徴とする携帯電話機の着信バイブレータ。
【考案の詳細な説明】
【技術分野】
【０００１】
本考案は携帯電話機に関し、振動を発生させて着信を使用者に報知するための携帯電話機の着信バイブレータに関する。
【背景技術】
【０００２】
携帯電話機には着信報知音の代わりに振動によって着信を知らせるマナーモードなどと呼ばれる機能が備わっている。振動発生手段としては一般に携帯電話機に内蔵された小型の振動モータが用いられている。振動モータは偏心錘を備えたモータ軸を回転させることにより振動を発生するように構成されている。振動モータ内蔵の携帯電話機は、例えば、特許文献１、２に開示されている。
【特許文献１】特開２００６−２２４０６８号公報
【特許文献２】特開２００６−２１２６０８号公報
【考案の開示】
【考案が解決しようとする課題】
【０００３】
近年においては、携帯電話機の多機能化、表示画面の大型化などに起因して、携帯電話機の内蔵部品の数が増加する傾向にある。しかしながら、携帯電話機のサイズ、重量を増加させることができないので、各部品の小型化、軽量化が必要である。振動モータについても、その小型化、軽量化が要求されているが、更なる小型・軽量化が困難な状況にある。
【０００４】
本考案の課題は、この点に鑑みて、携帯電話機の小型・軽量化に有効な着信バイブレータを提案することにある。
【課題を解決するための手段】
【０００５】
上記の課題を解決するために、本考案の携帯電話機の着信バイブレータは、
第１平板状電極および第２平板状電極が絶縁性の平板状弾性体を挟んだ状態で交互に積層された構成の板状振動体と、
直流電源と、
前記直流電源から供給される電圧を前記第１および第２平板状電極の間に所定の形態で印加することにより、前記第１および第２平板状電極の間に断続的に静電吸引力を発生させ、あるいは、前記第１および第２平板状電極の間に静電吸引力および静電反発力を交互に発生させる通電制御回路とを有していることを特徴としている。
【０００６】
例えば、直流電源から供給される電圧を第１および第２平板状電極の間に所定の周期でパルス状に印加することにより、電極間に静電吸引力を断続的に発生させることができる。また、電圧を第１および第２平板状電極の間に印加し、一方の平板状電極の極性を所定の周期で交互に切り替えることにより、電極間に静電吸引力および静電反発力を交互に発生させることができる。
【０００７】
ここで、板状振動体をコイル状に巻くことによりコイル状振動体を形成することができる。
【考案の効果】
【０００８】
本考案の携帯電話機の着信バイブレータにおいて、一対の平板状電極の間に、例えばパルス状に電圧が印加される場合には、平板状弾性体は、電圧印加によって電極間に生ずる静電吸引力によって弾性変位して押し潰され、電圧が解除されると元の厚さに弾性復帰する。一方の平板状電極に印加される電圧の極性が交互に正負に切り替わる場合には、双方の平板状電極に異なる極性の電圧が印加されると、これらの間には静電吸引力が発生して平板状弾性体が押し潰され、同一極性の電圧が印加されると、これらの間には静電吸引力が発生して、平板状弾性体が元の厚さに弾性復帰する。このような平板状弾性体の弾性変位が短い周期で繰り返されて、板状振動体、コイル状振動体が全体として振動する。
【０００９】
本考案による着信バイブレータは、静電駆動式の板状振動体から構成されており、軽量かつ極薄に製造することができる。また、必要な振動が得られるように積層することができ、取り付け場所の設置スペースなどに応じて、曲げる、巻く、折り曲げるなどの加工も簡単である。したがって、本考案によれば、携帯電話機の小型・軽量化に極めて有効な着信バイブレータを提供することができる。
【考案を実施するための最良の形態】
【００１０】
以下に、図面を参照して、本考案を適用した携帯電話機の着信バイブレータの一例を説明する。
【００１１】
図１は本考案の実施の形態に係る携帯電話機の構造を模式的に示す説明図である。携帯電話機１は折り畳み式のものであり、操作側ケース２と表示側ケース３が折り畳み可能な状態で連結されている。操作側ケース２には操作部４、マイク５、着信バイブレータ６、直流電源としてバッテリ電源７などが配置されており、表示側ケース３には表示部７ａ、レシーバ８、リンガ９などが配置されている。
【００１２】
図２は携帯電話機１の制御系を示す機能ブロック図である。携帯電話機１の制御系は、ＣＰＵ、ＲＯＭ、ＲＡＭを備えた制御部１０を中心に構成されており、制御部１０には操作部４および表示部７ａが接続されている。制御部１０は、変復調部１１、送受信部１２およびアンテナ１３を介して外部との間で通信を行う。また、変復調部１１および音声処理部１４を介してマイク５およびレシーバ８が接続されている。さらに、制御部１０には、リンガ９および着信バイブレータ６が接続されている。
【００１３】
アンテナ１３を介して受信された受信電波は送受信部１２で増幅され、変復調部１１で音声信号に復調される。音声信号は音声処理部１４を介してレシーバ８に供給され、音声として出力される。また、ユーザの音声はマイク５を介して電気信号に変換され、音声処理部１４によって処理された後に、変復調部１１で変調信号に変換され、送受信部１２を介してアンテナ１３から送信される。
【００１４】
制御部１０は操作部４を介してマナーモード指令が入力された場合には、着信時に、着信報知音をリンガ９から出力する代わりに、着信バイブレータ６を駆動して振動を発生させることにより、ユーザに着信を報知する。着信バイブレータ６は、制御部１０に備わっている通電制御回路２１と、板状振動体２２と、バッテリ電源７から構成される。
【００１５】
図３は着信バイブレータ６を示す概略構成図である。着信バイブレータ６の板状振動体２２は、第１平板状電極３１と第２平板状電極３２が、平板状弾性体３３を挟み、交互に積層された構造をしている。また、板状振動体２２の両側面は、それぞれ、平板状弾性体３３によって規定されている。第１平板状電極３１および第２平板状電極３２は、それらの両側に配置されている平板状弾性体３３の表面に積層接着されている。
【００１６】
各第１平板状電極３１には第１リード線３４が接続されており、各第２平板状電極３２には第２リード線３５が接続されている。これら第１、第２リード線３４、３５は、通電制御回路２１に接続されている。通電制御回路２１は、バッテリ電源７から供給される直流電圧を昇圧して、第１、第２平板状電極３１、３２の間に印加する。
【００１７】
例えば、一定の周期で第１平板状電極３１にパルス状電圧Ｖを印加する。電圧が印加されると、第１、第２平板状電極３１、３２の間には静電吸引力が発生し、これらの間の平板状弾性体３３が押し潰される。電圧の印加が解除されると、平板状弾性体３３は元の厚さに弾性復帰する。各平板状弾性体３３が圧縮変形および弾性復帰を繰り返すことにより、板状振動体２２は全体として一定の周期で振動する。
【００１８】
この代わりに、電圧を第１および第２平板状電極３１、３２の間に印加し、一方の平板状電極の極性を所定の周期で交互に切り替えてもよい。例えば、第１平板状電極３１が正の極性、第２平板状電極３２が負の極性となるように電極間に電圧を印加し、第２平板状電極３２の極性を一定の周期で正負に交互に切り替える。この結果、電極間には、静電吸引力および静電反発力が交互に発生する。静電吸引力が発生すると各平板状弾性体３３が圧縮され、静電反発力が発生すると各平板状弾性体３３が元の厚さに弾性復帰する。これによって、板状振動体２２は全体として一定の周期で振動する。
【００１９】
ここで、板状振動体２２を携帯電話機１の操作側ケース２の内側面に貼り付けておくことができる。板状振動体２２をコイル状に巻くことによりコイル状振動体を形成し、これを操作側ケース２の内側面に貼り付けておいてもよい。
【図面の簡単な説明】
【００２０】
【図１】本考案を適用した携帯電話機の概略構成図である。
【図２】図１の携帯電話機の制御系を示す機能ブロック図である。
【図３】図１の携帯電話機の着信バイブレータを示す構成図である。
【符号の説明】
【００２１】
１    携帯電話機
２    操作側ケース
３    表示側ケース
４    操作部
５    マイク
６    着信バイブレータ
７    バッテリ電源
７ａ  表示部
８    レシーバ
９    リンガ
１０  制御部
１１  変復調部
１２  送受信部
１３  アンテナ
１４  音声処理部
２１  通電制御回路
２２  板状振動体
３１  第１平板状電極
３２  第２平板状電極
３３  平板状弾性体
３４  第１リード線
３５  第２リード線
【図１】
0003142215.tif 000003
【図２】
0003142215.tif 000004
【図３】
0003142215.tif 000005